(57)【要約】【課題】エンジンを挟んで前後に車軸駆動装置を配してなる四輪駆動車両をコンパクトかつ低コストに構成する。【解決手段】エンジン７を挟んで、後車軸９を駆動する後車軸駆動装置８と、前車軸１４を駆動する前車軸駆動装置１３とを機体前後に配設しており、該前車軸駆動装置１３は、該前車軸１４駆動用に油圧モータ４１を備えており、該後車軸駆動装置８は、後車軸９駆動用に正逆転切換機能を有する変速機構を備えてエンジン７に駆動連結しているとともに、該前車軸駆動装置１３の油圧モータ４１に作動油を供給するための油圧ポンプ４０を備えている。【選択図】図１
2005297923.tif 000002
【特許請求の範囲】
【請求項１】
原動機を挟んで、第一車軸を駆動する第一車軸駆動装置と、第二車軸を駆動する第二車軸駆動装置とを機体前後に配設しており、該第二車軸駆動装置は、該第二車軸駆動用に油圧モータを備えており、該第一車軸駆動装置は、前記第一車軸駆動用に正逆転切換機能を有する変速機構を備えて前記原動機に駆動連結しているとともに、該第二車軸駆動装置の油圧モータに作動油を供給するための油圧ポンプを備えていることを特徴とする四輪駆動車両。
【請求項２】
前記第一車軸駆動装置において、前記油圧ポンプは、該第一車軸駆動装置のハウジング内に設けた伝動軸をポンプ軸として、該ハウジングに取り付けられていることを特徴とする請求項１記載の四輪駆動車両。
【請求項３】
前記伝動軸は、前記第一車軸駆動装置の変速機構の出力軸により駆動されていることを特徴とする請求項２記載の四輪駆動車両。
【請求項４】
前記第一車軸駆動装置において、前記変速機構は、該第一車軸駆動装置のハウジング外に設けた上手側の第一変速機構と、該ハウジング内に設けた下手側の第二変速機構とよりなることを特徴とする請求項１記載の四輪駆動車両。
【請求項５】
前記第一変速機構をＣＶＴとし、前記第二変速機構が前記の正逆切換機能を有するものとし、前記油圧ポンプは、該第二変速機構の出力軸をポンプ軸として設けられていることを特徴とする請求項４記載の四輪駆動車両。
【請求項６】
前記第一車軸駆動装置において、前記変速機構は、油圧ポンプと第一車軸駆動用の油圧モータとを組み合わせてなるＨＳＴを備えており、該ＨＳＴの油圧ポンプを前記の第二車軸駆動装置の油圧モータへの作動油供給用の油圧ポンプとして兼用することを特徴とする請求項１記載の四輪駆動車両。
【請求項７】
前記油圧ポンプを可変容積型とし、前記の変速機構における正逆転切換機能を該油圧ポンプの吐出方向の切換により現出することを特徴とする請求項６記載の四輪駆動車両。
【請求項８】
前記油圧ポンプは、前記原動機の出力軸をポンプ軸として設けられていることを特徴とする請求項６記載の四輪駆動車両。
【請求項９】
前記変速機構は、前記第一車軸駆動装置のハウジング外に設けた前記ＨＳＴと、その下手側であって、該ハウジング内に設けた有段の第二変速機構とよりなるものとし、前記第一車軸駆動用の油圧モータのモータ軸を、該第二変速機構の入力軸としていることを特徴とする請求項６記載の四輪駆動車両。
【請求項１０】
前記第一車軸駆動用の油圧モータを可変容積型とし、前記第一車軸を支持する前記第一車軸駆動装置のハウジング内に収納したことを特徴とする請求項６記載の四輪駆動車両。
【請求項１１】
前記第二車軸駆動装置において、前記第二車軸を左右一対とし、該左右一対の第二車軸と前記油圧モータとの間に差動機構を設けていることを特徴とする請求項１記載の四輪駆動車両。
【請求項１２】
前記第二車軸駆動装置において、前記第二車軸を左右一対とし、該左右一対の第二車軸各別駆動用に前記の油圧モータを一対備えていることを特徴とする請求項１記載の四輪駆動車両。
【請求項１３】
前記第二車軸駆動装置において、前記一対の油圧モータのモータ軸同士を、差動制限機構を介して機械式に接続することを特徴とする請求項１２記載の四輪駆動車両。
【請求項１４】
前記第二車軸駆動装置において、前記一対の油圧モータを、前記第一車軸駆動装置における油圧ポンプに対し並列接続して前記第二車軸の差動回転を許容するとともに、両油圧モータを直列接続に切替え可能に構成することを特徴とする請求項１２記載の四輪駆動車両。
【請求項１５】
前記第二車軸駆動装置において、前記油圧モータと前記第二車軸との間に、該第二車軸側から該油圧モータへの伝動を防止し、該油圧モータから該第二車軸への伝動のみを可能とするクラッチを介設していることを特徴とする請求項１記載の四輪駆動車両。
【発明の詳細な説明】
【技術分野】
【０００１】
本発明は、前輪と後輪との間に原動機が配置される車両、特に運搬車において、前輪に対する伝動構造を油圧駆動化した四輪駆動車両に関する。
【背景技術】
【０００２】
従来、内燃機関等の原動機を挟んで、（例えば後輪用の）第一車軸を支持し駆動する第一車軸駆動装置と、（例えば前輪用の）第二車軸を支持し駆動する第二車軸駆動装置とを機体前後に配設しており、該第一車軸駆動装置の左右一側に設けた入力部を、ＣＶＴ（ベルト式無段変速装置）を介して該原動機に駆動連結し、該入力部とは反対側の該第一車軸駆動装置の左右他側部に動力取出し部（ＰＴＯ部）を連設し、該ＰＴＯ部を前記第二車軸駆動装置の入力部にベベルギアや伝動軸、或いはユニバーサルジョイント等で駆動連結した構造を有する四輪駆動運搬車が公知となっており、例えば、特許文献１に記載されている。
【０００３】
【特許文献１】米国特許出願公開第２００１／４０３１号明細書
【発明の開示】
【発明が解決しようとする課題】
【０００４】
しかし、前記の従来の車両構造では、前記第一車軸駆動装置に、前述のような特別のＰＴＯ部を構成する必要があり、さらに、原動機との干渉を回避して前記第二車軸駆動装置の入力部への伝動系を該ＰＴＯ部より延設するためには、該ＰＴＯ部をかなり左右方向に長く取る必要がある。このように、伝動軸やユニバーサルジョイント等で機械式に第一車軸駆動装置と第二車軸駆動装置とを駆動連結するのは、原動機との干渉を回避する点で構造が複雑化し、この伝動機構の配置スペースを確保する分、運搬車のコンパクト性も阻害する。
【０００５】
また、前述のように、一般的には第一車軸駆動装置と原動機とをＣＶＴにて駆動連結しているが、ＣＶＴは、放熱のためにカバーで覆わずにむき出しになっており、その分、寿命が短いので、代替の無段変速装置が望まれる。
【課題を解決するための手段】
【０００６】
本発明は、四輪駆動車両に関しての以上の如き課題を次のような手段で解決するものである。まず、本発明は、請求項１記載の如き四輪駆動車両を提供するものであって、即ち、原動機を挟んで、第一車軸を駆動する第一車軸駆動装置と、第二車軸を駆動する第二車軸駆動装置とを機体前後に配設しており、該第二車軸駆動装置は、該第二車軸駆動用に油圧モータを備えており、該第一車軸駆動装置は、前記第一車軸駆動用に正逆転切換機能を有する変速機構を備えて前記原動機に駆動連結しているとともに、該第二車軸駆動装置の油圧モータに作動油を供給するための油圧ポンプを備えている。
【０００７】
このような四輪駆動車両における前記第一車軸駆動装置の好ましい第一様態として、請求項２記載の如く、前記油圧ポンプは、該第一車軸駆動装置のハウジング内に設けた伝動軸をポンプ軸として、該ハウジングに取り付けられている。さらに好ましくは、請求項３記載の如く、該伝動軸を、該第一車軸駆動装置の変速機構の出力軸により駆動されている。
【０００８】
また、前記第一車軸駆動装置の好ましい第二様態として、請求項４記載の如く、前記変速機構が、該第一車軸駆動装置のハウジング外に設けた上手側の第一変速機構と、該ハウジング内に設けた下手側の第二変速機構とよりなるものとしている。さらに好ましくは、請求項５記載の如く、該第一変速機構をＣＶＴとし、前記第二変速機構が前記の正逆切換機能を有するものとし、該第二変速機構の出力軸をポンプ軸として前記油圧ポンプを設けている。
【０００９】
また、前記第一車軸駆動装置の好ましい第三様態として、請求項６記載の如く、前記変速機構が、油圧ポンプと第一車軸駆動用の油圧モータとを組み合わせてなるＨＳＴを備えており、該ＨＳＴの油圧ポンプを前記の第二車軸駆動装置の油圧モータへの作動油供給用の油圧ポンプとして兼用する。
【００１０】
このような第三様態の第一車軸駆動装置において、好ましくは、請求項７記載の如く、前記油圧ポンプを可変容積型とし、前記の変速機構における正逆転切換機能を該油圧ポンプの吐出方向の切換により現出する。
【００１１】
また、好ましくは、請求項８記載の如く、前記原動機の出力軸をポンプ軸として前記油圧ポンプを設けている。
【００１２】
また、好ましくは、請求項９記載の如く、前記変速機構が前記第一車軸駆動装置のハウジング外に設けた前記ＨＳＴと、その下手側であって、該ハウジング内に設けた有段の第二変速機構とよりなるものとし、前記第一車軸駆動用の油圧モータのモータ軸を、該第二変速機構の入力軸としている。
【００１３】
また、好ましくは、請求項１０記載の如く、前記第一車軸駆動用の油圧モータを可変容積型とし、前記第一車軸を支持する前記第一車軸駆動装置のハウジング内に収納している。
【００１４】
そして、前記の請求項１記載の如き四輪駆動車両において、前記第二車軸駆動装置の好ましい第一様態として、請求項１１記載の如く、前記第二車軸を左右一対とし、該左右一対の第二車軸と前記油圧モータとの間に差動機構を設けている。
【００１５】
また、前記第二車軸駆動装置の好ましい第二様態として、請求項１２記載の如く、前記第二車軸を左右一対とし、該左右一対の第二車軸各別駆動用に前記の油圧モータを一対備えている。さらに好ましくは、請求項１３記載の如く、前記一対の油圧モータのモータ軸同士を、差動制限機構を介して機械式に接続する。或いは請求項１４記載の如く、前記一対の油圧モータを、前記第一車軸駆動装置における油圧ポンプに対し並列接続して前記第二車軸の差動回転を許容するとともに、両油圧モータを直列接続に切替え可能に構成する。
【００１６】
また、前記第二車軸駆動装置の好ましい第三様態として、請求項１５記載の如く、前記油圧モータと前記第二車軸との間に、該第二車軸側から該油圧モータへの伝動を防止し、該油圧モータから該第二車軸への伝動のみを可能とするクラッチを介設している。
【発明の効果】
【００１７】
本発明は、以上のような手段により、以下のような効果を奏する。まず、請求項１記載の如く構成することにより、該第一車軸駆動装置に備えられた油圧ポンプから該第二車軸駆動装置の油圧モータへの油路を、配管等の柔軟な構造によって構成することで、第一・第二車軸駆動装置同士を駆動連結することができ、両車軸駆動装置間に介在する原動機との干渉を容易に回避することができる。
【００１８】
このような四輪駆動車両において、前記第一車軸駆動装置については、その油圧ポンプを、請求項２記載の如く構成することで、油圧ポンプをハウジングと一つのユニットとして取り扱うことができる。さらに、請求項３記載の如く構成することで、該第一車軸駆動装置に備えた油圧ポンプは、該変速機構で変速された後の回転力で駆動された状態にて第二車軸駆動装置の油圧モータに作動油を供給するので、第二車軸駆動装置において、第一車軸に第二車軸を同期させるための減速機構を削減或いは縮小することができる。また、該変速機構が該第一車軸の駆動方向の切換機能を有する場合には、その切換に応じてポンプ軸の回転方向が切り換えられるため、第二車軸駆動装置に特別に第二車軸の駆動方向を切り換えるための機構も不要である。このように、第二変速機構の操作に応じての第一車軸の回転速度や方向の切換に第二車軸を同期させる上で、好適の構造となっている。
【００１９】
また、請求項４記載の如く、第一車軸駆動装置の第二様態として、その前記変速機構を第一変速機構と第二変速機構の組み合わせとすることで、変速のバリエーションを増やすことができ、さらに、第二変速機構のみを第一車軸支持ハウジング内に組み込むことで、該ハウジングをコンパクトに構成できる。さらには、請求項５記載の如く構成することで、第一変速機構たるＣＶＴによる無段変速効果を得ることができ、また、第二車軸駆動装置の油圧モータに対しては、正逆転切換機能を有する第二変速機構の出力軸を前記油圧ポンプのポンプ軸とすることで、第二車軸駆動装置に特別の機能を設けずとも、第一車軸の前後進回転の切換に第二車軸の前後進回転の切換を対応させることができる。
【００２０】
或いは、請求項６記載の如く、第一車軸駆動装置の第三様態として、その前記変速機構をＨＳＴとすることで、前述の如きＣＶＴにより生じていた耐久性についての不具合を解消でき、長期間にわたってメンテナンス作業を不要とする四輪駆動車両を提供できる。
【００２１】
また、この場合に、該ＨＳＴの油圧ポンプは、該ＨＳＴ（第一車軸駆動装置駆動用の）の油圧モータと、前記の第二車軸駆動装置の油圧モータとに作動油を供給するものであって、両油圧モータを特に直列に油圧ポンプに接続している場合には、両油圧モータの差動が生じにくいので、後述の請求項１５記載の如き発明の効果に関して記述するような、モータがポンプを駆動してしまうという伝動上の不具合は生じず、従って、請求項１５記載の如きクラッチを第二車軸駆動装置に設ける必要もない。
【００２２】
また、このような構造において、請求項７記載の如く、可変容積型油圧ポンプにて正逆転切換機能を現出させることができ、請求項８記載の如く原動機の出力軸をポンプ軸として油圧ポンプを設ける構成と相まって、第一車軸を支持するハウジング内に例えば機械式（ギアクラッチ式）の正逆転方向切換手段を設ける必要がなくなり、該ハウジングをコンパクトにすることができる。
【００２３】
また、第一車軸駆動装置の変速機構について、請求項９記載の如く構成することで、ＨＳＴを第一車軸支持用ハウジング外に配設し、その下手側の機械式第二変速機構を該ハウジング内に設けることで、該ＨＳＴの油圧ポンプが前記の如く正逆転切換機能を有することから、該ハウジング内の機械式第二変速機構については、正逆転切換用の手段を具備せずにすみ、従って、該ハウジングのコンパクト化、或いは、該ハウジング内のスペース拡大化を得ることができる。
【００２４】
或いは、請求項１０記載の如く、該ＨＳＴの油圧モータを可変容積型とすることにより、この油圧モータが請求項９記載の如き機械式第二変速機構の効果を有するので、逆にいえば該ハウジング内の機械式第二変速機構に代えて可変容積型の油圧モータを該ハウジング内に収納することで、該ハウジング外のＨＳＴ構成部品を削減でき、第一車軸駆動装置全体としてのコンパクト化につながる。
【００２５】
一方、第二車軸駆動装置に関しては、請求項１１記載の如く構成することで、左右一対の第二車軸に対し、その差動を可能としつつ、油圧モータは一つですみ、コンパクトかつ低コストの第二車軸駆動装置を提供できる。
【００２６】
或いは、第二車軸駆動装置を、請求項１２記載の如く、該左右一対の第二車軸を各別に一対の油圧モータにて駆動する構成とすることで、機械式差動機構を削除することができ車両レイアウトの自由度が増し、また、該第二車軸駆動装置の一対の油圧モータ個々は小さな容積のもので対応でき、更にモータ回転数を比較的低く設定できるため低騒音の車両が提供できる。
【００２７】
そして、このような構成において、請求項１３記載の如く構成することにより、第二車軸の片側が例えば溝にはまったような状態でも他側の駆動力を確実に維持することができる。
【００２８】
或いは、請求項１４記載の如く構成することによっても、第二車軸のデフロック作用を得ることができ、また、機械式の差動制限機構ではなく、油圧回路の切り替えで簡易な構成により当該作用を得ることができる。
【００２９】
また、特に、例えば前述のＣＶＴとギア式第二変速機構との組み合わせで構成される第一変速車軸装置によって第二車軸駆動装置の油圧モータを駆動させる場合には、ギア式第二変速機構の出力側に前記油圧モータ駆動用の油圧ポンプを配設する必要があるが第二車軸は地面から摩擦で駆動されるときの回転数と油圧モータにより駆動されるときの回転数とが同期していれば問題はないが、例えば、発進直後などでは油圧ポンプの回転数が低く、この少量の吐出油を受けて駆動される油圧モータの回転数は低回転状態での容積効率特性により地面から摩擦で駆動される第二車軸の回転数よりも低くなる。そのため、第二車軸によって油圧モータが回され、油圧モータが油圧ポンプを逆駆動してしまうという伝動上の不具合が生じる。これに対し、請求項１５記載の如く第二車軸駆動装置にクラッチ（ワンウェイクラッチ、もしくはツーウェイクラッチ）を備えることで、第二車軸の回転数が第一車軸の回転数より小さくなった場合では、第二車軸から該油圧モータへの伝動が防止され、このような不具合を生じさせない。
【発明を実施するための最良の形態】
【００３０】
本発明に係る四輪駆動車両、特に四輪駆動運搬車の全体像は、図１に示す如きものである。図２及び図５を参照して図１に示す四輪駆動運搬車を代表例にとりその概略構造を説明する。
【００３１】
この四輪駆動運搬車の機体フレーム１上にはプラットフォーム１ｂが構成され、その前方にはフロントカバー１ａが搭載され、その上部にステアリングハンドル２及び変速（前後進切換）レバー３が突設されている。該ステアリングハンドル２は後述の前輪１４の操舵のため、該変速レバー３は、後述の後車軸ハウジング８ａ内の副変速及び前後進切換機構の操作のために設けられている。また、該フロントカバー１ａの足元部の左右一側（右側）にアクセルペダル４が設けられている。なお、フロントカバー１ａの足元部の左右他側（左側）には図略のブレーキペダルが設けられている。該機体フレーム１の、プラットフォーム１ｂより後方部分は一段高くなっていて、その前端上部に運転席５を、その後方に荷台６を搭載している。
【００３２】
該機体フレーム１は、該荷台６の下方にて、前方にエンジン（原動機）７を、後方に後車軸ハウジング８ａを支持しており、該後車軸ハウジング８ａは、左右一対の後車軸（第一車軸）９を支持し、それぞれ、左右各後輪１０に対し、図２に示す如きユニバーサルジョイント１１・１１及び伝動軸１２を介して駆動連結し、さらに機体フレーム１より各後輪１０に対し、図示しないサスペンション（コイルバネ、エアシリンダ等）を連結して、該左右後輪１０に対し該後車軸ハウジング８ａを上下に相対移動可能に支持している。
【００３３】
後車軸ハウジング８ａは、後述の左右後車軸９・９同士を差動連結するデフギア機構３４（図２参照）を収納しており、後車軸ハウジング８ａ外に配した後記のＣＶＴやＨＳＴ等の無段変速機構等を介して該デフギア機構３４をエンジン７に駆動連結する構成により、後車軸駆動装置（第一車軸駆動装置）８を構成している。
【００３４】
また、該機体フレーム１は、該フロントカバー１ａの下方にて、前車軸駆動装置１３（第二車軸駆動装置）の前車軸ハウジング１３ａを支持しており、該前車軸ハウジング１３ａは、左右一対の前車軸（第二車軸）１４を支持し、それぞれ、左右各前輪１５に対し、図５に示す如きユニバーサルジョイント１６・１８及び伝動軸１７を介して駆動連結し、さらに機体フレーム１より各前輪１５に対し、図示しないサスペンション（コイルバネ、エアシリンダ等）を連結して、該左右前輪１５に対し該前車軸ハウジング１３を上下に相対移動可能に支持している。
【００３５】
後述の図２〜図４にはそれぞれ後車軸駆動装置８及びそのエンジン７との駆動連係の第一〜第三実施例を、図５〜図９にはそれぞれ前車軸駆動装置１３の第二〜第五実施例を描いているが、図１に示す四輪駆動運搬車は、後車軸駆動装置８及びそのエンジン７との駆動連係に関しては図２に示す第一実施例を、前車軸駆動装置１３に関しては図５に示す第一実施例を採用している。即ち、図２に示す如く、エンジン７及び後車軸駆動装置８の左右一側にて、エンジン７の出力軸７ａと後車軸ハウジング８ａ内の副変速機構の入力軸２１とを、主変速機構たるＣＶＴ２０にて駆動連結しており、該後車軸ハウジング８ａの左右他側に、油圧ポンプ４０を取り付けている。一方、前車軸駆動装置１３は、図５に示すように、両車軸１４間にデフギア機構４２（図１では図略）を介設しており、その前方にて、前記油圧ポンプ４０より作動油を供給される油圧モータ４１を配置している。なお、左右前輪１５は操舵可能に支持されており、図１に示す如く、両前輪１５間にパワーステアリングシリンダ３０が設けられて、前記ハンドル２の操作にてパワーステアリングシリンダ３０のピストンを移動させて、両前輪１５を操舵する。
【００３６】
図２に示す後車軸駆動装置８及びそのエンジン７との駆動連係の第一実施例を説明する。前記の入力軸２１が左右に延伸されて後車軸ハウジング８ａ内にて軸支されており、該ハウジング８ａ内にて、該入力軸２１上には回転センサ（ガバナウェイト）２３が設けられ、その側方にて、該入力軸２１上に、高低二段の副変速ギア、即ち、高速駆動ギア２４、低速駆動ギア２５を固設し、また、さらにその側方にて、後進駆動ギア２６を固設している。
【００３７】
入力軸２１上の回転センサ２３は、遠心制御式エンジンガバナを構成すべく、エンジン７のスロットルに連係されており、その入力軸２１の回転に伴う開度変化に応じてスロットルの開度が決定される。該スロットルは、前記のアクセルペダル４にも連係されており、アクセルペダル４の踏み込みにてスロットル開度を設定するものであり、入力軸２１の実際回転数がその設定に応じた回転数より低くなれば回転センサ２３が閉じ気味となり、これを検出してガバナがスロットルの開度を増大し、車速を保つのである。なお、ＣＶＴ２０はエンジン回転数の増大に応じて無段に減速比を小さくする。このエンジンガバナ構造については、図１０をもとに後述する。
【００３８】
さらに、ＣＶＴ２０には通例の如く、ドリブンプーリに負荷制御用のトルクカム機構（図示せず）を設けている。即ち、走行駆動系の車輪の対地負荷を検出して、エンジンの負担を軽減するためにＣＶＴ２０の減速比を増大させるのである。
【００３９】
該ハウジング８ａ内の該入力軸２１の下方にて、該入力軸２１と平行に出力軸２２に高速クラッチギア２９、低速クラッチギア３０、後進クラッチギア３１が遊嵌されており、該高速用クラッチギア２９を該高速駆動ギア２４に、該低速クラッチギア３０を該低速駆動ギア２５に常時噛合させている。また、該ハウジング８ａ内に、該入力軸２１・出力軸２２と平行にアイドラギア軸２８が軸支されていて、該アイドラ軸２８上に設けたアイドラギア２７が、該後進用駆動ギア２６及び該後進用クラッチギア３１に噛合している。
【００４０】
該出力軸２２上にはさらに、軸芯方向に摺動可能かつ相対回転不能にクラッチスライダ３２を設けており、該クラッチスライダ３２を摺動させて、該高速クラッチギア２９、該低速クラッチギア３０、該後進クラッチギア３１のいずれかに噛合させるものとしている。また、該クラッチスライダ３２は、出力軸２２に対する入力軸２１の回転動力の伝達を絶つべく該ギア２９・３０・３１のいずれにも噛合しないようにも配置される。このクラッチスライダ３２は前記の変速レバー３に操作連係されている。
【００４１】
該出力軸２２にはピニオン３３が固設され、デフギア機構３４のブルギア３４ｂに噛合している。該デフギア機構３４は、左右両車軸９・９間に配置されて、両車軸９・９同士を差動連結している。出力軸２２上のピニオン３３が左右一側に寄っている関係上、ブルギア３４ｂは、その側の一車軸９上に遊嵌されているが、ピニオンとの位置関係によっては両車軸９・９の内端突き合わせ部分上に配設してもよい。もう一方の車軸９上にはデフロック部材３４ａが設けられており、適時に、該デフギア機構３４のデフケースに相対回転不能に嵌合して、両車軸９・９同士を差動不能に連結する。
【００４２】
ハウジングに支持される車軸が車輪の中心まで延伸されている構造のものでは、一般に該ハウジング内にて左右各車軸上に湿式多板型ブレーキを設けるが、本実施例の後車軸ハウジング８ａは、前述の如く、サスペンションにて後輪１０・１０に対し上下移動可能に支持されているため、ハウジング内部のブレーキ構造は不適である。そこで、各後輪１０の中心軸に乾式単板型ブレーキ１０ｂを付設している。両ブレーキ１０ｂは油圧的あるいは機械的に前述の図略のブレーキペダルに操作連係されている。
【００４３】
出力軸２２は、ＰＴＯ軸として、ＣＶＴ２０への入力軸２１の突出側とは左右反対側に、該前車軸ハウジング８ａより突出しており、該前車軸ハウジング８ａの当該左右側に付設したポンプハウジング８ｂ内に設けた油圧ポンプ４０のポンプ軸４０ａに、スリーブ状のカップリングによるスプライン嵌合等の手段により、同一軸芯上にて相対回転不能に係合されている。
【００４４】
この油圧ポンプ４０より、好ましくは油圧管にて構成される一対の給排用油路５０ａ・５０ｂが延設されて、駆動モード切換バルブ４４に接続され、また、該駆動モード切換バルブ４４に、前車軸駆動装置１３の油圧モータ４１より、好ましくは油圧管にて構成される一対の給排用油路５１ａ・５１ｂが接続されている。
【００４５】
駆動モード切換バルブ４４は、二輪駆動位置と四輪駆動位置とに切り換えられる。四輪駆動位置にある時は、油路５０ａ・５１ａ同士、油路５０ｂ・５１ｂ同士が接続されて、後車軸駆動装置８に付設した油圧ポンプ４０と前車軸駆動装置１３の油圧モータ４１とを油圧接続して、ＨＳＴを構成し、後車軸駆動装置８の動力を前車軸駆動装置１３に伝達して、運搬車を四輪駆動にて走行させる。
【００４６】
二輪駆動位置にある時は、油路５０ａ・５０ｂ同士、油路５１ａ・５１ｂ同士が接続されて、油圧ポンプ４０・油圧モータ４１それぞれ独立の循環回路を構成し、前車軸駆動装置１３を後車軸駆動装置８の駆動力より隔離して、運搬車を後輪のみの駆動にて走行させる。なお、油路５０ａ・５０ｂ同士の接続により、油圧ポンプ４０は出力軸２２の回転につれて自由に回転し、油路５１ａ・５１ｂ同士の接続により、油圧モータ４１は前輪１５が後輪１０の駆動に伴って転動するのにつれて自由に回転する。
【００４７】
なお、油圧ポンプ４０は、後車軸ハウジング８ａ内の副変速機構の下手側の出力軸２２、即ち、クラッチスライダ３２をいずれの位置にするかにより回転速度や回転方向が切り換わる出力軸２２をポンプ軸として共用するので、油圧ポンプ４０の駆動速度及び方向を、該副変速機構による後輪１０の速度や駆動方向の変化に対応させることができ、従って、前車軸駆動装置１３に特別な機構を設けることなく容易に前輪１５の駆動を後輪１０の駆動に同期させることができる。
【００４８】
図３に示す後車軸駆動装置８及びそのエンジン７との駆動連係の第二実施例を説明する。図２に示す第一実施例のものと同一部材または同一機能を有する部材については同一符号を付しており、これらについての説明は省略する。本実施例の後車軸駆動装置８は、エンジン７に対し、ＣＶＴではなく、ＨＳＴにて駆動連係されている。このＨＳＴは、エンジン７の出力軸７ａをポンプ軸としてエンジン７に付設した油圧ポンプ４０と、後車軸駆動装置８の入力軸２１をモータ軸として後車軸ハウジング８に付設した油圧モータ４５とを油圧回路にて接続することで構成されている。
【００４９】
エンジン７の一側面にはポンプハウジング７ｂが付設されていて、この中に出力軸７ａが突入し、油圧ポンプ４０のポンプ軸４１ａを、スリーブ状のカップリングによるスプライン嵌合等の手段により、同一軸芯上にて相対回転不能に該出力軸７ａに接続している。さらに、該ポンプ軸４１ａは、ともに該ポンプハウジング７ｂ内に収納したチャージポンプ４３の駆動軸として兼用されている。チャージポンプ４３から吐出される油は、ＨＳＴの補充油として用いる他、前述のステアリングシリンダ３０等の駆動用として用いることができる。
【００５０】
後車軸ハウジング８ａの左右側端のうち、ポンプハウジング７ｂと同一側にモータハウジング８ｃが付設され、この中に入力軸２１が突入し、これに油圧モータ４５のモータ軸４５ａを、スリーブ状のカップリングによるスプライン嵌合等の手段により、同一軸芯上にて相対回転不能に接続している。この油圧モータ４５は実施例では互いに流体接続する前記油圧ポンプ４０と離間された状態にあるが共通のハウジングに収納して、エンジン７側もしくは後車軸ハウジング８ａ側の方へ集中配置しても良い。
【００５１】
油圧ポンプ４０と駆動モード切換バルブ４４とを結ぶ一対の給排油路５０ａ・５０ｂのうち、油路５０ｂの途中部に油圧モータ４５を介設するものとしており、油圧ポンプ４０と油圧モータ４５との間の油路５０ｂは、好ましくはポンプハウジング７ｂ・モータハウジング８ｃとの間に介設した油圧管等にて構成されている。そして、油路５０ａ及び油圧モータ４５・駆動モード切換バルブ４４間の油路５０ｂを、それぞれ、好ましくは、ポンプハウジング７ｂ・モータハウジング８ｃより延設される油圧管にて構成している。また、駆動モード切換バルブ４４には前述と同様に、前車軸駆動装置１３の油圧モータ４１からの油路５１ａ・５１ｂが接続されている。
【００５２】
駆動モード切換バルブ４４を四輪駆動位置にすると、油路５０ａ・５１ａ同士、油路５０ｂ・５１ｂ同士を接続して、一つの油圧ポンプ４０に対し二つの油圧モータ４１・４５を直列接続したＨＳＴを構成する。即ち、油圧ポンプ４０の吐出油が後輪１０駆動用の油圧モータ４５と前輪１５駆動用の油圧モータ４１とに供給され、運搬車は四輪駆動にて走行する。一方、駆動モード切換バルブ４４を二輪駆動位置にすると、油路５０ａ・５０ｂ同士、油路５１ａ・５１ｂ同士が接続され、後輪１０駆動用の、油圧ポンプ４０・モータ４５よりなるＨＳＴが構成されるとともに、前輪１５駆動用の油圧モータ４１は、該油圧ポンプ４０からの圧油を受けず、運搬車は二輪駆動にて走行する。
【００５３】
後車軸駆動装置８においては、油圧ポンプ４０を可変容積型とし、その可動斜板４０ｂの傾斜方向を切り換えることで、その吐出方向を切り換え、油圧モータ４５・４１の回転方向を切り換えることができるので、第一実施例の如きハウジング８ａ内における入力軸２１・出力軸２２間の後進用ギア列は不要となる。その分、ハウジング８ａ内の入力軸２１上にスペース的な余裕ができ、これを利用して、油圧ポンプ４０の容積を走行時にかかる後輪１０の負荷に応じて制御とするためのトルクセンサ６０を入力軸２１上に設けている。なお、正確には該入力軸２１は、トルクセンサ６０によるトルク検出のために、油圧モータ４５側の第一部２１ａと、デフギア機構３４側の第二部２１ｂとに分割されており、低速駆動ギア２５・高速駆動ギア２４・回転センサ２３を第二部２１ｂ上に設けている。即ち、入力軸２１の第一部２１ａ・第二部２１ｂの軸回りの相対変位を推力に変換して後輪１０の負荷トルクを検出するのである。
【００５４】
トルクセンサ６０は油圧ポンプ４０の可動斜板４０ｂに（電気式或いは機械式に）操作連係されており、該トルクセンサ６０が設定値以上の負荷トルクを検出すると、それに応じて可動斜板４０ｂが減速側に移動する構成となっている。この油圧ポンプ４０の負荷制御は後に図１２をもとに詳述する。一方、回転センサ２３は前記同様にエンジン７のスロットルに操作連係されていて、エンジンガバナを構成している。なお、エンジン負荷に応じたＨＳＴの制御については、トルク検出に代えて、ＨＳＴの油圧検出に基づく方法もある。これらの構成については図１０以降の図面をもとに後述する。
【００５５】
図４に示す後車軸駆動装置８及びそのエンジン７との駆動連係の第三実施例を説明する。図２・図３に示す第一・第二実施例のものと同一部材または同一機能を有する部材については同一符号を付しており、これらについての説明は省略する。本実施例では、後車軸駆動装置８のエンジン７に対する駆動連係を、第二実施例と同様に、ＨＳＴによるものとしている。即ち、エンジン７の出力軸７ａをポンプ軸としてエンジン７に付設した油圧ポンプ４０と、後車軸ハウジング８に支持される入力軸２１をモータ軸とする油圧モータ４５とを油圧回路にて接続したものである。この油圧ポンプ４０の吐出油は、第二実施例同様に、駆動モード切換バルブ４４を介して、前車軸駆動装置１３の油圧モータ４１にも供給可能となっている。
【００５６】
第二実施例と異なる点として、第二実施例の油圧モータ４５は固定容積型であり、後車軸ハウジング８ａに外付けされていたが、本実施例の油圧モータ４５は可動斜板４５ａを有する可変容積型であり、後車軸ハウジング８ａ内に収納されている。即ち、油圧ポンプ４０の可動斜板４０ｂの位置制御によるＨＳＴの減速比制御を主変速として割り当てる一方で、油圧モータ４５の可動斜板４５ａの位置制御によってさらに副変速としてのＨＳＴの減速比制御を行っている。
【００５７】
これにより、後車軸ハウジング８ａ内において、第二実施例に示す如き副変速用の高低ギア列は不要となり、その分、該ハウジング８ａ内に余裕ができることから、前述のように油圧モータ４５を該ハウジング８ａ内に収納できるのであり、前車軸駆動装置８全体のさらなるコンパクト化を実現している。
【００５８】
なお、本実施例の後車軸ハウジング８ａ内においては、油圧モータ４５のモータ軸として延伸される入力軸２１に小径ギア６１を固設するとともに回転センサ２３を設けており、出力軸２２上に、該小径ギア６１と常時噛合する大径ギア６２を遊嵌して、両軸２１・２２間に減速ギア列を構成しており、該大径ギア６２と出力軸２２との間にはトルクセンサ６０を介設している。即ち、本実施例でのトルクセンサ６０は、入力軸２１に常時ギア噛合する大径ギア６１と、デフギア機構４３に常時ギア噛合する出力軸２２との相対回転差を検知して負荷トルクを検出する。
【００５９】
次に、図５に示す前車軸駆動装置１３の第一実施例を説明する。前車軸ハウジング１３ａ内に機械式デフギア機構７０が設けられていて、左右前車軸１４・１４同士を差動連結している。一方の前車軸１４上にはデフロック部材７０ａを設けている。デフギア機構７０のブルギア７０ｂは、その前方にて前車軸ハウジング１３ａ内に収容した油圧モータ４１のモータ軸４１ａに固設したモータギア４１ｃに常時噛合している。
【００６０】
油圧モータ４１への一対の給排ポートが前車軸ハウジング１３ａ外側に設けられていて、前述の油圧ポンプ４０との間で作動油を循環させるための油路５１ａ・５１ｂが油圧管等で構成されて、駆動モード切換バルブ４４より延設され、該給排ポートに接続される。こうして、油圧モータ４１が駆動されることにより、デフギア機構７０を介して左右車軸１４・１４を駆動するものである。
【００６１】
なお、油圧モータ４１は可変容積型であって、前記ハンドル２から操舵輪たる前輪１５までのリンク機構のいずれかの部位に操作連係される可動斜板４１ｂを具備しており、ハンドル２の切り角の増大に応じて可動斜板４１ｂが増速側に傾動するように構成して旋回時の前輪と後輪との軌跡に応じた理想的な回転数に近づけるように前輪１０を速度制御している。これについては、後述の図６〜図８に示す第二〜第四実施例でも同様である。
【００６２】
各車軸１４と各前輪１５との間の駆動連結は、前述の如くユニバーサルジョイント１６・１８及び伝動軸１７によるものであり、各ユニバーサルジョイント１８に連結される各前輪１５の中心軸１５ａ上には乾式単板型のブレーキ１５ｂが付設されている。
【００６３】
なお、前輪１５は後輪１０によって地面から駆動されるときの回転数と油圧モータ４１により駆動されるときの回転数とが同期していれば問題はないが、例えば、発進直後などでは油圧ポンプ４０の回転数が低く、この少量の吐出油を受けて駆動される油圧モータ４１の回転数は低回転状態における容積効率特性により、地面からの摩擦を受けて駆動される前輪１５の回転数よりも低くなる。そのため、前輪１５に油圧モータ４１が連れ回り、油圧モータ４１が油圧ポンプ４０を逆駆動する背圧現象が生じる。これは、出力軸２２にブレーキング作用を与え走行安定性を極端に悪化させるので、前輪１５から油圧モータ４１方向へのみ駆動力伝達を防止すべく、各前車軸１５と、該前車軸１５を伝動軸１７に連結するユニバーサルジョイント１６との間にて、ワンウェイクラッチもしくはツーウェイクラッチ７１を介設している。
【００６４】
このツーウェイクラッチ７１は、例えば、入力側の内輪と出力側外輪との間に、内外側部分にカム面が形成されたトルク伝達部材である複数のスプラグを円周方向に沿って配置し、各スプラグを、内外輪間に介在させた外側保持器と内側保持器とで保持した状態で内外輪の周面に対して係合・離脱可能とした構造をしている。スプラグが内外輪間で起立した中立状態では、スプラグのカム面が内外輪の周面から離脱し、これにより、内輪からの回転トルクを遮断して前輪１５から前車軸１４への向きの動力伝達を防止する。一方、内側保持器に対する外側保持器の差動回転によりスプラグが所定量傾動すると、そのスプラグのカム面が内外輪の周面に圧接係合し、これにより、内輪からの回転トルクをスプラグを介して外輪に伝達して、前車軸１４の前進回転及び後進回転を前輪１５へと伝達するのを許容している。このツーウェイクラッチ７１は、開示した実施例の他に、前車軸ハウジング１３ａ内のデフギア機構７０におけるサイドベベルギアと前車軸１４との間、或いは、前輪１５とその中心軸１５ａとの間に配設することもできる。
【００６５】
これらのクラッチ７１は、特に、後車軸駆動装置８が前述の第一実施例の如き構成である時のように、後輪駆動用の伝動軸をポンプ軸とする油圧ポンプ４０と前輪駆動用の油圧モータ４１とが１対１で流体接続されてＨＳＴを構成しており、前輪１５と後輪１０との駆動が完全には同期しない構造の場合に有効である。一方、後車軸駆動装置８が前述の第二・第三実施例のような場合には、一つの油圧ポンプ４０に対して、前輪駆動用油圧モータ４１と後輪駆動用油圧モータ４５とが直列で接続されているため、両モータ４１・４５の駆動、即ち、前輪１５・後輪１０の駆動が略完全に同期されるものについては不要である。図６〜図９の前車軸駆動装置１３の各実施例にもクラッチ７１を開示しているが、同様であって、第二・第三実施例の後車軸駆動装置８と組み合わせる場合には削除してもよい。
【００６６】
前車軸駆動装置１３についての図６〜９の第二〜第五実施例は、それぞれ、図５に示したような機械式デフギア機構７０を除いて、左右各車軸１４に対し各別に設けた一対の油圧モータ４１・４１間の油圧的な差動で、左右前輪１５・１５の差動回転を許容する。但し、この場合、該一対の油圧モータ４１・４１を油圧ポンプ４０に対し並列で接続するが、左右前輪１５・１５のいずれかに負荷がかかった場合、負荷の小さい方の前輪１５駆動用の油圧モータ４１に多くの油が流れ、負荷の大きい方の前輪１５側の油圧モータ４１を流れる油は少なくなる現象による。このことは次のような不具合が生じる可能性がある。例えば、一方の前輪１５が溝にはまると、はまった前輪１５の負荷が極端に小さくなるので、この前輪１５用の油圧モータ４１ばかりに油が供給され、溝にはまっていない前輪１５用の油圧モータ４１が駆動されず、脱出ができないこととなる。
【００６７】
図６〜９の各実施例は、このような不具合を解消すべく、両油圧モータ４１・４１間の差動を制限する手段を設けている。特にこのことを中心に、前車軸駆動装置１３の第二〜第五各実施例を説明する。
【００６８】
まず、図６、図７の第二・第三各実施例においては、駆動モード切換バルブ４４に接続される油路５１ａ・５１ｂ間に、両油圧モータ４１・４１を並列に接続するための並列回路を介在させるものであり、該並列回路は、両油圧モータ４１・４１を介して、油路５１ａ側に接続する分岐油路５２・５２と、油路５１ｂ側に接続する分岐油路５３・５３とよりなる。図８、図９の第四・第五実施例は、基本的に駆動モード切換バルブ４４を介して油圧ポンプ４０に両油圧モータ４１・４１を並列接続することは同じであるが、この回路構成を改変することで両モータ４１・４１間の差動制限手段としており、これについては後に詳述する。
【００６９】
図６に示す第二実施例においては、両油圧モータ４１・４１の各モータ軸をそのまま前車軸１４と（或いは同一軸芯上に配して各前車軸１４に駆動接続）して、左右外側に延設しており、各モータ軸４１ａを左右内側に延長し、その内側延長部４１ａ同士を機械式のリミティッドスリップ機構７３により接続して、両モータ軸間の差動を制限している。
【００７０】
各前輪１５と、該前輪１５を伝動軸１７に接続する各ユニバーサルジョイント１８との間には、減速ギアケース７４が介設されている。該減速ギアケース７４内には、ユニバーサルジョイント１８からの伝動軸１８ａと、該前輪１５の中心軸１５ａとが対向状に突入しており、両軸１８ａ・１５ａ間に遊星ギア式の減速ギア機構７５が介設されている。なお、両軸１８ａ・１５ａ間の減速機構はこの構成には限らない。該減速ギアケース７４内において、該伝動軸１８ａ上に、好ましくは乾式単板型のブレーキ７６が設けられている。
【００７１】
図７に示す第三実施例においては、モータ軸４１ａ・４１ａ同士を機械式リミティッドスリップ機構７３で連結する一方、後車軸ハウジング１３ａ内において、各前車軸１４は各油圧モータ４１のモータ軸４１ａに平行に軸支されており、各モータ軸４１ａ上に固設した小径ギア７７と、各前車軸１４上の大径ギア７８とを噛合させて減速ギア列を構成している。
【００７２】
これにより、第二実施例に示したような前輪１５とユニバーサルジョイント１８との間の減速ギアケース７４は省いて、該前輪１５の中心軸１５ａを直接ユニバーサルジョイント１８に連結しており、乾式単板型ブレーキ１５ｂを各前輪１５の中心軸１５ａ上に設けている。左右両前輪１５各別の減速ギア機構を設けなくてすむので、コストを低減できる。
【００７３】
また、第二実施例におけるリミティッドスリップ機構７３が、減速機構を各別に各前輪１５に付設している構成において、前車軸１４・１４として延設されているモータ軸４１ａ・４１ａ間を連結しているのに対し、本実施例のリミティッドスリップ機構７３は、車軸１４・１４に対し減速ギア列を介してその上流側に駆動連結したモータ軸４１ａ・４１ａ同士を連結しており、その連結に要するトルクは、第二実施例のものよりも小さくてすむ。従って、本実施例の場合には、リミティッドスリップ機構７３を小型化できるという利点がある。
【００７４】
図８に示す第四実施例は、油圧モータ４１Ｌ・４１Ｒの各々と各前輪１５との間の減速機構については、第二実施例と同様に、減速ギア機構７５及びブレーキ７６を収納する減速ギアケース７４を各前輪１５とユニバーサルジョイント１８との間に介設している。
【００７５】
本実施例は、該一対の油圧モータ４１Ｌ・４１Ｒの油路構成を工夫してデフロック作用を現出可能としたものであって、並列に接続される左右２つの油圧モータ４１Ｌ・４１Ｒ同士をデフロック時に直列に接続することによりデフロック効果を現出させるものである。
【００７６】
本実施例の油圧モータ４１Ｌ・４１Ｒ駆動用油圧回路について説明する。駆動モード切換バルブ４４からの一方の油路５１ａが、一方の油圧モータ４１（本実施例では左の油圧モータ４１Ｌとしているが、いずれでもよい）の一方の給排ポートに連通する油路５２ａに対し、第一デフロックバルブ８８ａを介して常時（デフロック位置でもデフロック解除位置でも）連通している。該油圧モータ４１Ｌの他方の給排ポートは油路５３ａを介して第二デフロックバルブ８８ｂに連通しており、該デフロックバルブ８８ｂには、もう一方の油圧モータ４１（本実施例では右の油圧モータ４１Ｒ）の両給排ポートからの油路５３ｂ・５７が接続されている。油路５３ｂからは駆動モード切換バルブ４４への油路５１ｂを分岐させており、油路５７からは第一デフロックバルブ８８ａへの油路５２ｂを分岐させている。
【００７７】
両デフロックバルブ８８ａ・８８ｂはソレノイドバルブであり、図外の操作具により同期してそれぞれのデフロック位置とデフロック解除位置とに切り換えられる。両デフロックバルブ８８ａ・８８ｂのソレノイドが解磁状態で図示のデフロック解除位置にある時、第一デフロックバルブ８８ａは油路５１ａを分岐し、両油圧モータ４１Ｌ・４１Ｒの一方の給排ポートに対しそれぞれ油路５２ａ・５２ｂを介して連通させる。一方、第二デフロックバルブ８８ｂは、該油圧モータ４１Ｌからの油路５３ａを、油路５３ｂ・５７のうち、油路５３ｂに接続して、油圧モータ４１Ｌ・４１Ｒの他方の給排ポート同士を接続し、これにより、油圧モータ４１Ｌ・４１Ｒを油圧ポンプ４０に対し並列接続する。従って、油圧ポンプ４０からの吐出油が駆動モード切換バルブ４４を介してそれぞれの負荷に応じた量で油圧モータ４１Ｌ・４１Ｒに供給され、両油圧モータ４１Ｌ・４１Ｒの差動回転が許容される。
【００７８】
一方、両デフロックバルブ８８ａ・８８ｂのソレノイドを励磁してデフロック位置にすると、第一ソレノイドバルブ８８ａは、油圧モータ４１Ｒからの油路５２ｂを、駆動モード切換バルブ４４からの油路５１ａより隔離し、第二ソレノイドバルブ８８ｂは油圧モータ４１Ｌからの油路５３ａを、油路５３ｂ・５７のうち、油路５７に接続する。これにより、油圧モータ４１Ｌ・４１Ｒを油圧ポンプ４０に対し直列接続し、油圧モータ４１Ｌ・４１Ｒの差動回転を不可能にする。
【００７９】
図９に示す第五実施例は、上記第四実施例のバルブ構成・回路構成の簡素化を図ったものであり、前記駆動モード切換バルブ４４の油路５１ａは油圧モータ４１Ｒの油路５２ｂと常時接続し、前記駆動モード切換バルブ４４の油路５１ｂは油圧モータ４１Ｌの油路５３ａと常時接続してある。そして、油圧モータ４１Ｌの油路５２ａと油圧モータ４１Ｒの油路５３ｂをそれぞれ前記油路５１ａと前記油路５１ｂの各々に接続するデフロック解除位置と、油圧モータ４１Ｌの油路５２ａと油圧モータ４１Ｒの油路５３ｂを相互連通させて前記油路５１ａと前記油路５１ｂをブロックするデフロック位置に切替え可能な単一のデフロックバルブ８８ｃを設ける。該デフロックバルブ８８ｃはソレノイドバルブであり、該ソレノイドが解磁状態でデフロック解除位置にある時、両油圧モータ４１Ｌ・４１Ｒの一方の給排ポートに通じる油路５２ａ・５２ｂが油路５１ａと連通する一方、両油圧モータ４１Ｌ・４１Ｒの他方の給排ポートに通じる油路５３ａ・５３ｂが油路５１ｂと連通する。これにより、油圧モータ４１Ｌ・４１Ｒを油圧ポンプ４０に対し並列接続される。従って、油圧ポンプ４０からの吐出油が駆動モード切換バルブ４４を介してそれぞれの負荷に応じた量で油圧モータ４１Ｌ・４１Ｒに供給され、両油圧モータ４１Ｌ・４１Ｒの差動が許容される。
【００８０】
一方、デフロックバルブ８８ｃのソレノイドを励磁してデフロック位置にすると、駆動モード切換バルブ４４の油路５１ａから油圧モータ４１Ｒの油路５２ｂ、油路５３ｂ、油圧モータ４１Ｌの油路５２ａ、油路５３ａを経て駆動モード切換バルブ４４の油路５１ｂに接続する。これにより、油圧モータ４１Ｌ・４１Ｒを油圧ポンプ４０に対し直列接続されることとなり、油圧モータ４１Ｌ・４１Ｒの差動を不可能にする。
【００８１】
なお、これら第四、五実施例の場合には、並列、直列接続状態で油圧モータ４１Ｌ・４１Ｒを流れる油量が変化するので、油圧モータ４１Ｌ・４１Ｒの回転数はデフロック解除位置のときに比べてデフロック位置では大きくなる。この油圧モータの回転数変動は次のようにして防止することができる。
【００８２】
即ち、後車軸駆動装置８が図２に示す第一実施例のように、主変速機構をＣＶＴとしている実施例においては、後車軸ハウジング８ａに付設している油圧ポンプ４０は前輪駆動用油圧モータ４１に作動油を供給するものであるが、この油圧ポンプ４０を図示したように可変容積型のものに置き換えて、バルブ８０がデフロック位置になった時には該油圧ポンプ４０の吐出量を減少させるように制御すればよい。或いは、油圧モータ４１Ｌ・４１Ｒには可変容積型のものが使用されているので、油圧モータ４１Ｌ・４１Ｒの容積をバルブ８０がデフロック位置になった時に大きくするように制御すればよい。この結果、デフロック解除位置での車軸１４の回転数に対して、デフロック位置での車軸１４の回転数を略一致させることができる。
【００８３】
また、後車軸駆動装置８が図３、図４に示す第二・第三実施例のように、主変速機構をＨＳＴとしている場合でも、後者の制御方式を用いることにより対処することができる。
【００８４】
以上の様々なタイプの前車軸駆動装置１３のうちの一つと、様々なタイプの後車軸駆動装置８のうちの一つとを選択して組み合わせることにより、四輪駆動運搬車のための多様な伝動構造を提供することができる。
【００８５】
次に、本運搬車に適用されるエンジン回転数制御機構について、図１０〜図１３より説明する。まず、基本的な（図２に示す後車軸駆動装置８に適用されるような）エンジンガバナについては図１０に示す如きであり、図２〜図４で開示した如く後車軸駆動装置８のハウジング８ａ内にて入力軸２１上に配設した回転センサ２３が、スロットルアクチュエータ８１のシリンダ８１ａ内に摺動可能に内装したピストンロッド８１ｂの一端に連係されており、該ピストンロッド８１ｂの他端はエンジン７のスロットルバルブ７ｃに一体状に設けたスロットルアーム７ｄに連係されている。具体的には上下中心部にて枢支されたアーム８２の回動両端にそれぞれ、ピストンロッド８１ｂの該他端と、該アーム８３からのワイヤ等のリンク部材とを連結している。なお、スロットルアーム７ｄはバネ７ｅにてスロットルバルブ７ｃの閉じ側に付勢されている。また、シリンダ８１ａ内にて、ピストンロッド８１ｂ上にピストン８１ｃが固設され、該ピストン８１ｃとシリンダ８１ａの一端との間にバネ８１ｄが介設されている。さらに、シリンダ８１ａがアクセルペダル４に連係されている。具体的には、上下中心部にて枢支されたアーム８２の回動両端にそれぞれ、シリンダ８１ａと、該スロットルペダル４基端のアーム４ａからのワイヤ等のリンク部材とを連結している。
【００８６】
図１０での位置を基準として説明すると、アクセルペダル４を踏み込むことにより、アーム８２の上端が右へ、下端が左へと回動し、これにより、バネ８１ｄの付勢力に抗してシリンダ８１ｂが左に移動する。バネ８１ｄは直ちに復帰してピストン８１ｃを左に押し、ピストンロッド８１ｂを左に移動させる。これにより、アーム８３の上端が左に、下端が右に回動して、スロットルアーム７ｄがバネ７ｅの付勢力に抗してスロットルバルブ７ｃの開き側に回動する。こうして、アクセルペダル４の踏み込み量に応じた開度にてアクセルバルブ７ｃが開く。
【００８７】
こうしてアクセルペダル４で設定したスロットルバルブ７ｃの開度に応じて、入力軸２１の回転中は回転センサ２３が遠心力で開いている。その入力軸２１の回転速度がアクセルペダル４による設定速度よりも落ちると、回転センサ２３が閉じて、ピストンロッド８１ｂを左側に押す。これにより、アーム８３の上端が左に、下端が右に回動して、スロットルバルブ７ｃの開き側にスロットルアーム７ｄが回動し、エンジン回転数を増大させる。
【００８８】
なお、図１１、図１２に示すエンジン回転数制御機構は、図３及び４の如き後車軸駆動装置８を採用した場合のものであり、即ち、主変速としてＨＳＴを設け、その減速比をトルクセンサ６０の検出に基づいて制御する構成と組み合わせている。アクセルペダル４は、前進用ペダル４Ｆ・後進用ペダル４Ｒのツインペダルとしており（シーソー型の単一ペダルの各端を前進用・後進用の踏み込み部としてもよい）、スロットルアクチュエータ８０のシリンダ８０ａは、上下中心部を枢支軸として一体に回動するツインアーム８２Ｆ・８２Ｒの下端が枢結されており、両ツインアーム８２Ｆ・８２Ｒの上端には、それぞれ各ペダル４Ｆ・４Ｒからのワイヤ等のリンク部材の端部が枢結されている。具体的には各ツインアーム８４Ｆ・８４Ｒの上端部に長孔８２ａが形成されていて、各ペダル４Ｆ・４Ｒからのリンク部材の端部を摺動自在に嵌入しており、両ペダル４Ｆ・４Ｒのうち一方が踏み込まれることで、その長孔８４ａ内のリンク部材端部が動いても、もう一方のペダル４Ｒからのリンク部材の端部はその位置にとどまることができるようになっている。こうして、両ペダル４Ｆ・４Ｒのいずれを踏み込んだ場合にも、その踏み込み量に応じてスロットルバルブ７ｃの開度が設定される。
【００８９】
そして、この前進用ペダル４Ｆ・後進用ペダル４Ｒは、そのまま油圧ポンプ４０の可動斜板４０ｂの操作具となっており、各ペダル４Ｆ・４Ｒの踏み込み量１００Ｆ・１００Ｒがポテンショメータ等で検出されて、コントローラ８５に入力信号として送信される。可動斜板４０ｂのアクチュエータは電磁弁制御による油圧作動型となっており、これについて図１２にて説明する。後車軸ハウジング８ａに枢支された可動斜板４ｂ制御用のコントロールアーム４０ｄの回動端に、アクチュエータとしての油圧シリンダ８６・８６のピストンロッドが両側より連結されており、各油圧シリンダ８６にはそれぞれ電磁弁８７を介してチャージポンプ４３からの圧油が供給される。前述のコントローラに入力された各ペダル４Ｆ・４Ｒの踏み込み量検出値に基づき、電磁弁８７・８７が制御されて、コントロールアーム４０ｄを回動し、可動斜板４０ｂを踏み込み位置に応じた傾斜角度に設定するのである。さらにその傾斜角度が出力信号としてポテンショメータ等で検出され、フィードバックされて、コントローラ８５にてペダル４Ｆ・４Ｒからの踏み込み量検出信号と比較演算されて、偏差が０となるようにコントローラ８５より油圧シリンダ８６・８６に制御信号が発せられる。こうして、可動斜板４０ｂの傾斜角度を、ペダル４Ｆ・４Ｒいずれかの踏み込み量に正確に対応したものにする。
【００９０】
さらに、このように設定した可動斜板４０ｂが、エンジン負荷制御機構を構成するトルクセンサ６０でのトルク検出に基づき適正角度に修正される。即ち、出力軸２２と大径ギア６２との相対回転差が内部のカムボールによって推力に変換されこれをポテンショメータ等でトルクセンサ６０のトルク検出量としてコントローラ８５にて認識され、所定値以上のトルクが検出されている場合には、可動斜板４０ｂの傾斜角度を中立方向へ減少させてポンプ吐出量を減少させるべく、電磁弁８７・８７を制御する。なお、図１２に図示のトルクセンサ６０は、図４に示す場合のものであり、図３に示す実施例に適用されるように、入力軸２１の第一部２１ａ・第二部２１ｂとの間に介設するものとして、両者２１ａ・２１ｂ間の相対回転差を推力に変換するものとしてもよい。水力にもよい。
【００９１】
このＨＳＴによる負荷制御は、トルクセンサの検出ではなく、ＨＳＴの油圧検出によるものとしてもよい。図１３は、ＨＳＴの油圧検出に基づくエンジン負荷制御機構を開示している。前・後進ペダル４Ｆ・４Ｒ、回転センサ２３、スロットルバルブ７ｃ、及びスロットルアクチュエータ８１で構成されるエンジン回転数制御機構の構成は、図１１に示したものと同様である。油圧ポンプ４０・油圧モータ４５間の一対の油路それぞれの油圧を検出するセンサとして、油圧スライダ９０が設けられている。油圧スライダ９０は、スプール状で軸芯方向に移動可能であり、両端より中立位置にバネ９６・９６にて付勢されていて、その各端部は、各プランジャ９５Ｆ・９５Ｒに押接している。油圧ポンプ４０の可動斜板４０ｂは、斜板アクチュエータたる複動式油圧シリンダ９４のピストン９４ａと操作連係されていて、方向切換バルブ９２からの一対の油路がピストン９４ａ両側の油室のそれぞれに連通している。ピストン９４ａから延びるフィードバックアーム９４ｂが方向切換バルブ９２外周に配したスリーブ９２ａと機械的に連係され、これにより、方向切換バルブ９２がスリーブ９２ａ内を移動して中立位置より前進または後進位置に切替えられピストン９４ａが移動するとスリーブ９２ａを同方向へ移動させて相対的に原位置に戻して中立位置に制御される。
【００９２】
プランジャ９５Ｆは、そのプランジャ油室９５ａが、油圧ポンプ・モータ４０・４５間の閉回路を構成する一対の油路のうち、前進時に高圧側となる油路に連通し、プランジャ９５Ｒのプランジャ油室９５ａは、後進時に高圧側となる油路に連通している。各油路を流れる油圧は絞りを経て該プランジャ油室９５ａ内に導入され、バネ９６・９６の付勢力を上回ると各プランジャ９５Ｆ・９５Ｒが押し出されて、油圧スライダ９０を反対側に押動する。
【００９３】
方向切換バルブ９２の操作部材としてのリンクロッド９１の途中部に係合ピン９１ａを設けており、該油圧スライダ９０の軸芯方向の長孔９０ａ内に該係合ピン９１ａを摺動可能に嵌入している。該リンクロッド９１は該油圧スライダ９０を通過して、その先端を揺動アーム９３一端の受け部９３ａ内にて、設定負荷相当の付勢力を有するバネ９３ｂ・９３ｂにより両側より挟持している。該揺動アーム９３は、その途中部に枢支点を有し、該受け部９３ａとは反対側の端部に、前進ペダル４Ｆ・後進ペダル４Ｒからのリンク部材（ロッド或いはワイヤ等）の各一端が接続されている。
【００９４】
前進ペダル４Ｆには揺動アーム４Ｆａ、後進ペダル４Ｒには揺動アーム４Ｒａがそれぞれ固設されている。該揺動アーム４Ｆａは、その上下途中部が前進ペダル４Ｆの基端枢支点となっていて、その下端がスロットルアクチュエータ８１のアーム８２Ｆへのリンク部材との接続点に、そして、その上端が、前記揺動アーム９３へのリンク部材との接続点になっている。一方、該揺動アーム４Ｒａは、その上端が後進ペダル４Ｒの基端枢支点となっていて、その下端部にスロットルアクチュエータ８１のアーム８２Ｒへのリンク部材との接続点と、揺動アーム９３へのリンク部材との接続点とを設けている。従って、前進ペダル４Ｆを踏むか、後進ペダル４Ｒを踏むかで、アーム９３の揺動方向が反対になる。図１３によれば、前進ペダル４Ｆを踏み込むと、アーム４Ｆａの上端が左方に回動するので、揺動アーム９３の受け部９３ａは右に回動する。一方、後進ペダル４Ｒを踏み込むと、アーム４Ｒａの下端が右方に回動するので、揺動アーム９３の受け部９３ａは左に回動する。
【００９５】
ここで、図１３での位置関係をもとに、前進ペダル４Ｆを踏んだ場合を想定すると、揺動アーム９３が紙面時計回りに揺動して左側のバネ９３ｂを通じてリンクロッド９１を右方へ移動させる。また、油圧スライダ９０の長孔９０ａ内を右に係合ピン９１ａが移動して、該長孔９０ａの右端に当接する。これにより、方向切換バルブ９２を中立位置から紙面左側の前進位置へ切り換え、油圧シリンダ９４のピストン９４ａを移動し、可動斜板４０ｂを中立位置から前進方向へ傾動させた後、方向切換バルブ９２はピストン９４ａからのフィードバックを受けて中立位置に復帰する。この結果、可動斜板４０ｂの傾動位置が保持される。
【００９６】
油圧ポンプ４０からの圧油を受けて駆動される油圧モータ４５が前進駆動用に作動している間は、プランジャ９５Ｆのプランジャ油室９５ａに連通する油路が高圧側になるが、この高圧側油路の油圧が絞りを経てプランジャ９５Ｆのプランジャ室９５ａ内に導入され、バネ９６の付勢力以上の圧力に達するとプランジャ９５Ｆは油圧スライダ９０を左に押動する。この時、係合ピン９１ａが長孔９０ａの右端にあるため、係合ピン９１ａが油圧スライダ９０に押されて左方に移動することとなり、従って、リンクロッド９１は、左方に押し返され、方向切換バルブ９２は、中立位置から紙面右側の後進位置に切り換わり、可動斜板４０ｂを中立位置の方向へ動かしてその傾斜角を小さくして、油圧ポンプ４０の吐出量を低減し、プランジャ９５Ｆのプランジャ室９５ａ内に導入される圧油がバネ９６の付勢力以下の圧力になるまで継続される。これにより、ＨＳＴにかかる負荷を自動的に軽減する。後進ペダル９Ｒの踏み込み時にも同様の負荷制御がなされる。
【００９７】
このように、油圧スライダ９０は、高圧側となっている油路の油圧が設定値以上になった時に、前進・後進ペダル４Ｆ・４Ｒいずれかの踏み込み量に応じて設定した油圧ポンプ４０の吐出量を低減させるのである。
【図面の簡単な説明】
【００９８】
【図１】本発明の後車軸駆動装置８の第一実施例と前車軸駆動装置１３の第一実施例とを採用する四輪駆動運搬車の側面略図である。
【図２】後車軸駆動装置８の第一実施例のスケルトン図である。
【図３】後車軸駆動装置８の第二実施例のスケルトン図である。
【図４】後車軸駆動装置８の第三実施例のスケルトン図である。
【図５】前車軸駆動装置１３の第一実施例のスケルトン図である。
【図６】前車軸駆動装置１３の第二実施例のスケルトン図である。
【図７】前車軸駆動装置１３の第三実施例のスケルトン図である。
【図８】前車軸駆動装置１３の第四実施例のスケルトン図である。
【図９】前車軸駆動装置１３の第五実施例のスケルトン図である。
【図１０】基本的なエンジンガバナの構造略図である。
【図１１】後車軸駆動装置８の主変速機構をＨＳＴとした場合に採用される、前進・後進ペダル４Ｆ・４Ｒを用いたエンジンガバナの構造略図である。
【図１２】後車軸駆動装置８の主変速機構をＨＳＴとした場合の、可動斜板４０ｂの制御機構の油圧回路図である。
【図１３】後車軸駆動装置８の主変速機構をＨＳＴとした場合の、エンジンガバナと、ＨＳＴの油圧検出によるＨＳＴの負荷制御ガバナの構造略図である。
【符号の説明】
【００９９】
４      アクセルペダル
４Ｆ    前進ペダル
４Ｒ    後進ペダル
７      エンジン（原動機）
８      後車軸駆動装置（第一車軸駆動装置）
８ａ    後車軸ハウジング（第一車軸支持ハウジング）
９      後車軸（第一車軸）
１０    後輪
１３    前車軸駆動装置（第二車軸駆動装置）
１３ａ  前車軸ハウジング（第二車軸支持ハウジング）
１４    前車軸（第二車軸）
１５    前輪
２０    ＣＶＴ（ベルト式無段変速装置）
４０    油圧ポンプ
４１    （前輪駆動用）油圧モータ
４４    駆動モード切換バルブ
４５    （後輪駆動用）油圧モータ
７１    クラッチ
７３    リミティッドスリップ機構
【図１】
2005297923.tif 000003
【図２】
2005297923.tif 000004
【図３】
2005297923.tif 000005
【図４】
2005297923.tif 000006
【図５】
2005297923.tif 000007
【図６】
2005297923.tif 000008
【図７】
2005297923.tif 000009
【図８】
2005297923.tif 000010
【図９】
2005297923.tif 000011
【図１０】
2005297923.tif 000012
【図１１】
2005297923.tif 000013
【図１２】
2005297923.tif 000014
【図１３】
2005297923.tif 000015